(57)【要約】【課題】  分解可能なパーソナルコンピュータの提供。【解決手段】  保護板、支持アーム、キーボードとタブレットＰＣを具え、支持アームが可動式に保護板本体部の収容凹溝に結合され、キーボードが着脱自在に保護板本体部のキーボード結合凹部に結合され、タブレットＰＣが着脱自在に保護板に結合される。キーボードとタブレットＰＣが保護板に収納可能で、タブレットＰＣが保護板の支持により傾斜して立てられて使用に便利とされる。【選択図】        図１
2004252942.tif 000002
【特許請求の範囲】
【請求項１】
分解可能なパーソナルコンピュータにおいて、該分解可能なパーソナルコンピュータは、保護板と、支持アームと、キーボードとタブレットＰＣを具え、
該保護板は、本体部、第１延伸部、第２延伸部、キーボード結合凹部、少なくとも一つの第１フレキシブルクリップ、少なくとも一つの第２フレキシブルクリップを具え、該本体部に収容凹溝が設けられ、
該支持アームは可動式に保護板の本体部の収容凹溝に結合され、該支持アームに上端と底端があり、該支持アームの底端が軸棒で保護板の本体部の収容凹溝に枢設され、
該キーボードは分離可能に該保護板の本体部のキーボード結合凹部に結合され、
該タブレットＰＣは分解可能に該保護板に結合され、該タブレットＰＣは正面、背面及び複数の側辺を具え、該背面に係合ユニットが設けられ、
以上を特徴とする、分解可能なパーソナルコンピュータ。
【請求項２】
請求項１記載の分解可能なパーソナルコンピュータにおいて、第１フレキシブルクリップが一つとされると共に保護板の本体部に設置されたことを特徴とする、分解可能なパーソナルコンピュータ。
【請求項３】
請求項１記載の分解可能なパーソナルコンピュータにおいて、第２フレキシブルクリップが二つとされると共に保護板の第１延伸部と第２延伸部に一つずつ設置されたことを特徴とする、分解可能なパーソナルコンピュータ。
【請求項４】
請求項２記載の分解可能なパーソナルコンピュータにおいて、タブレットＰＣの一つの側辺が保護板の本体部の第１フレキシブルクリップに係合し、支持アームの上端がタブレットＰＣの背面の係合ユニットに係合することにより、タブレットＰＣが傾斜状態で立てられることを特徴とする、分解可能なパーソナルコンピュータ。
【請求項５】
請求項４記載の分解可能なパーソナルコンピュータにおいて、タブレットＰＣの背面の係合ユニットが波形の係合溝とされてこれによりタブレットＰＣの傾斜角度調整可能とされたことを特徴とする、分解可能なパーソナルコンピュータ。
【請求項６】
請求項１記載の分解可能なパーソナルコンピュータにおいて、タブレットＰＣが保護板に貼り合わされ、並びに保護板の第１フレキシブルクリップと第２フレキシブルクリップで挟持固定されうることを特徴とする、分解可能なパーソナルコンピュータ。
【請求項７】
請求項１記載の分解可能なパーソナルコンピュータにおいて、キーボードの二つの側辺に滑り溝が設けられ、保護板の第１延伸部と第２延伸部にこの滑り溝に対応し分離可能に組み合わされる第１スライドレールと第２スライドレールが設けられたことを特徴とする、分解可能なパーソナルコンピュータ。
【発明の詳細な説明】
【技術分野】
【０００１】
本発明は一種のパーソナルコンピュータに係り、特にタブレットＰＣ、着脱式保護板と分離式キーボードを具えた分解可能なパーソナルコンピュータに関する。
【背景技術】
【０００２】
情報製品の進歩に伴い、製品外形の設計にも軽量化、薄型化のほか、各種の形式でデスク上に放置できて狭いデスク上のスペースを有効利用できることが求められるようになった。
【０００３】
伝統的なタワー型のコンピュータケースの占める空間は膨大であり、デスク上に放置するのには不適合であり、一般にタブレットタイプのコンピュータは体積が小さく且つデスク上への放置に適合するが、その直立を補助する装置がなく、キーボードによる入力補助がないため、書き込みと走査に不便な状況が発生する。
【発明の開示】
【発明が解決しようとする課題】
【０００４】
本発明の目的は、一種の分解可能なパーソナルコンピュータを提供することにあり、それはタブレットＰＣを提供でき、保護板を提供でき、またキーボードを提供できるものとする。
【０００５】
本発明の別の目的は、一種の分解可能なパーソナルコンピュータを提供することにあり、それは、キーボードとタブレットＰＣが保護板に収納可能とされ、また、タブレットＰＣが保護板の支持により傾斜起立させられて使用に便利であるものとする。
【課題を解決するための手段】
【０００６】
請求項１の発明は、分解可能なパーソナルコンピュータにおいて、該分解可能なパーソナルコンピュータは、保護板と、支持アームと、キーボードとタブレットＰＣを具え、
該保護板は、本体部、第１延伸部、第２延伸部、キーボード結合凹部、少なくとも一つの第１フレキシブルクリップ、少なくとも一つの第２フレキシブルクリップを具え、該本体部に収容凹溝が設けられ、
該支持アームは可動式に保護板の本体部の収容凹溝に結合され、該支持アームに上端と底端があり、該支持アームの底端が軸棒で保護板の本体部の収容凹溝に枢設され、
該キーボードは分離可能に該保護板の本体部のキーボード結合凹部に結合され、
該タブレットＰＣは分解可能に該保護板に結合され、該タブレットＰＣは正面、背面及び複数の側辺を具え、該背面に係合ユニットが設けられ、
以上を特徴とする、分解可能なパーソナルコンピュータとしている。
請求項２の発明は、請求項１記載の分解可能なパーソナルコンピュータにおいて、第１フレキシブルクリップが一つとされると共に保護板の本体部に設置されたことを特徴とする、分解可能なパーソナルコンピュータとしている。
請求項３の発明は、請求項１記載の分解可能なパーソナルコンピュータにおいて、第２フレキシブルクリップが二つとされると共に保護板の第１延伸部と第２延伸部に一つずつ設置されたことを特徴とする、分解可能なパーソナルコンピュータとしている。
請求項４の発明は、請求項２記載の分解可能なパーソナルコンピュータにおいて、タブレットＰＣの一つの側辺が保護板の本体部の第１フレキシブルクリップに係合し、支持アームの上端がタブレットＰＣの背面の係合ユニットに係合することにより、タブレットＰＣが傾斜状態で立てられることを特徴とする、分解可能なパーソナルコンピュータとしている。
請求項５の発明は、請求項４記載の分解可能なパーソナルコンピュータにおいて、タブレットＰＣの背面の係合ユニットが波形の係合溝とされてこれによりタブレットＰＣの傾斜角度調整可能とされたことを特徴とする、分解可能なパーソナルコンピュータとしている。
請求項６の発明は、請求項１記載の分解可能なパーソナルコンピュータにおいて、タブレットＰＣが保護板に貼り合わされ、並びに保護板の第１フレキシブルクリップと第２フレキシブルクリップで挟持固定されうることを特徴とする、分解可能なパーソナルコンピュータとしている。
請求項７の発明は、請求項１記載の分解可能なパーソナルコンピュータにおいて、キーボードの二つの側辺に滑り溝が設けられ、保護板の第１延伸部と第２延伸部にこの滑り溝に対応し分離可能に組み合わされる第１スライドレールと第２スライドレールが設けられたことを特徴とする、分解可能なパーソナルコンピュータとしている。
【発明の効果】
【０００７】
本発明の分解可能なパーソナルコンピュータは、タブレットＰＣを提供でき、保護板を提供でき、またキーボードを提供できる。
【０００８】
本発明の分解可能なパーソナルコンピュータを提供することにあり、それは、キーボードとタブレットＰＣが保護板に収納可能とされ、また、タブレットＰＣが保護板の支持により傾斜起立させられて使用に便利である。
【発明を実施するための最良の形態】
【０００９】
本発明の分解可能なパーソナルコンピュータは、保護板、支持アーム、キーボード及びタブレットＰＣを具えている。
本発明の保護板は本体部、第１延伸部、第２延伸部、キーボード結合凹部、少なくとも一つの第１フレキシブルクリップ、少なくとも一つの第２フレキシブルクリップを具え、該保護板の本体部に収容凹溝が設けられている。
本発明の支持アームは可動式に保護板の本体部の収容凹溝に結合され、該支持アームに上端と底端があり、該支持アームの底端が軸棒で保護板の本体部の収容凹溝に枢設されている。
本発明のキーボードは分離可能に該保護板の本体部のキーボード結合凹部に結合される。
本発明のタブレットＰＣは分解可能に該保護板に結合され、該タブレットＰＣは正面、背面及び複数の側辺を具え、該背面に係合ユニットが設けられている。
本発明の分解可能なパーソナルコンピュータは、タブレットＰＣを単独で使用もできるほか、キーボードと結合して使用することもでき、非常に便利である。このほか、本発明の分解可能なパーソナルコンピュータは、キーボードとタブレットＰＣが保護板に収納可能であり、タブレットＰＣが並びに保護板の支持により傾斜起立可能で、使用に便利である。
【実施例１】
【００１０】
図１は本発明の好ましい実施例を示す。本発明の分解可能なパーソナルコンピュータは、保護板１０、支持アーム２０、キーボード３０、及びタブレットＰＣ４０を具えている。
保護板１０は本体部１１、第１延伸部１２、第２延伸部１３、キーボード結合凹部１４、第１フレキシブルクリップ１５、第２フレキシブルクリップ１６を具えている。該本体部１１に収容凹溝１７が開設されている。第１フレキシブルクリップ１５は保護板１０の本体部１１に設置されている。二つの第２フレキシブルクリップ１６が保護板１０の第１延伸部１２と第２延伸部１３に設置されている。
支持アーム２０は可動式に保護板１０の本体部１１の収容凹溝１７に結合され、該支持アーム２０は上端２１と底端２２を具え、該支持アーム２０の底端２２が軸棒２３で保護板１０の本体部１１の収容凹溝１７枢設されている。
キーボード３０の厚さは保護板１０とほぼ同じとされ、キーボード３０は分離可能に保護板１０の本体部１１のキーボード結合凹部１４に結合され、結合後に完全な長方形板面を形成する。
タブレットＰＣ４０は分離可能に該保護板１０に結合され、該タブレットＰＣ４０は正面４１、背面４２及び複数の側辺４３を具え、該背面４２に係合ユニット４４が設けられている。
【００１１】
本発明の使用については、タブレットＰＣ４０の単独操作使用は周知の技術であるためここでは説明しない。本発明のその他の使用方式について図１から図４を参照されたい。キーボード３０の二つの側辺には滑り溝３１が設けられ、保護板１０の第１延伸部１２と第２延伸部１３にはこの滑り溝３１に対応し組合せられる第１スライドレール１８と第２スライドレール１９が設けられ、これによりキーボード３０が保護板１０と分離可能に結合され一体とされる。キーボード３０はタブレットＰＣ４０と結合可能で、ゆえに本発明のタブレットＰＣ４０はキーボード３０で操作でき、操作の選択性と便利性が増されている。
【００１２】
タブレットＰＣ４０の傾斜起立については図２、図３を参照されたい。タブレットＰＣ４０の一つの側辺４３は該保護板１０の本体部１１の第１フレキシブルクリップ１５に係合され、支持アーム２０の上端２１がタブレットＰＣ４０の背面４２の係合ユニット４４を支持し、これによりタブレットＰＣ４０が傾斜状態で立てられる。タブレットＰＣ４０の背面４２の係合ユニット４４は波形係合溝とされ得て、これによりタブレットＰＣ４０の傾斜角度を調整できるものとされる。
【００１３】
本発明の分解可能なパーソナルコンピュータを収納したい時は、図１と図４を参照されたいが、キーボード３０の二つの滑り溝３１を保護板１０の第１スライドレール１８と第２スライドレール１９と組合せ、キーボード３０をスライド式に押し込んで保護板１０と結合させて一体とする。タブレットＰＣ４０は保護板１０に貼り合わせ、並びに保護板１０の第１フレキシブルクリップ１５及び第２フレキシブルクリップ１６で固定する。
【００１４】
総合すると、本発明は目的、手段、機能のいずれにおいても周知の技術の特徴とは異なっており、分解可能なパーソナルコンピュータの一大突破である。なお、以上の実施例は本発明の実施範囲を限定するものではなく、本発明に基づきなしうる細部の修飾或いは改変は、いずれも本発明の請求範囲に属するものとする。
【図面の簡単な説明】
【００１５】
【図１】本発明の好ましい実施例の分解斜視図である。
【図２】本発明の好ましい実施例の結合状態表示図である。
【図３】本発明のタブレットＰＣ傾斜角度調整動作表示図である。
【図４】本発明のタブレットＰＣとキーボードを保護板に収納した状態表示図である。
【符号の説明】
【００１６】
１０  保護板
１１  本体部
１２  第１延伸部
１３  第２延伸部
１４  キーボード結合凹部
１５  第１フレキシブルクリップ
１６  第２フレキシブルクリップ
１７  収容凹溝
１８  第１スライドレール
１９  第２スライドレール
２０  支持アーム
２１  上端
２２  底端
２３  軸棒
３０  キーボード
４０  タブレットＰＣ
４１  正面
４２  背面
４３  側辺
４４  係合ユニット
【図１】
2004252942.tif 000003
【図２】
2004252942.tif 000004
【図３】
2004252942.tif 000005
【図４】
2004252942.tif 000006